(57)【要約】【課題】多値ＱＡＭ信号のシンボルタイミングを確実に検出する多値シンボルタイミング信号検出回路を提供する。【解決手段】オーバーサンプリングＩ信号がＩ信号ヒストグラム形成部６１０に入力されると、この信号を絶対値演算して１シンボル長分バッファリングする。このバッファリングされたデータからオーバーサンプリング周波数に応じたサンプリングタイミングとこのタイミングでの振幅データとを抽出して、サンプルタイミング毎に振幅データを所定期間に亘りバッファリングする。これらのバッファリングされた振幅データから各サンプリングタイミングでの振幅データのヒストグラムを形成する。この振幅データのヒストグラムから、最も発生頻度の高い振幅データに対応するサンプリングタイミングを検出して、シンボルタイミングを取得する。【選択図】  図２
2006166005.tif 000002
【特許請求の範囲】
【請求項１】
多値ＱＡＭ通信信号のシンボルタイミングを検出する多値ＱＡＭシンボルタイミング検出回路において、
前記所定倍のオーバーサンプリング周波数で検出された多値ＱＡＭ通信信号の振幅データを１シンボル周期単位でバッファリングして、前記オーバーサンプリング周波数に応じたサンプリングタイミング毎の振幅データを検出するサンプリング点振幅検出手段と、
前記１シンボル周期内の各サンプリングタイミングに対応する振幅データをそれぞれ所定期間に亘りバッファリングするサンプリングタイミング別振幅データバッファ手段と、
該サンプリングタイミング別振幅データバッファ手段毎に記憶された前記所定期間内の振幅データのヒストグラムを形成する振幅ヒストグラム形成手段と、
該振幅ヒストグラム形成手段の結果から最も検出頻度の高い振幅データに対応したサンプリングタイミングをシンボルタイミングとして検出するシンボルタイミング検出手段と、
を備えたことを特徴とする多値ＱＡＭシンボルタイミング検出回路。
【請求項２】
前記所定倍のオーバーサンプリング周波数で検出された多値ＱＡＭ通信信号を絶対値演算して絶対値信号を生成する絶対値演算手段を備え、
前記サンプリング点振幅検出手段は、前記多値ＱＡＭ通信信号の絶対値信号を用いて振幅データを検出する請求項１に記載のシンボルタイミング検出手段。
【請求項３】
前記所定倍のオーバーサンプリング周波数で検出された多値ＱＡＭ通信信号にＩ信号とＱ信号とをそれぞれ用い、
前記Ｉ信号を用いて前記サンプリングタイミング毎の振幅ヒストグラムを形成するとともに、前記Ｑ信号を用いて前記サンプリングタイミング毎の振幅ヒストグラムを形成し、
前記Ｉ信号に対する振幅ヒストグラムと、前記Ｑ信号に対する振幅ヒストグラムとから前記シンボルタイミングを検出する請求項１または請求項２に記載の多値ＱＡＭシンボルタイミング検出回路。
【請求項４】
請求項１〜請求項３のいずれかに記載の多値ＱＡＭシンボルタイミング検出回路を備えるとともに、
該多値ＱＡＭシンボルタイミング検出回路から出力されるシンボルタイミング信号を用いて、前記多値ＱＡＭ通信信号をダウンサンプリングするサンプリング手段と、
該サンプリング手段でサンプリングされたベースバンドの多値ＱＡＭ信号を復調するベースバンド復調手段と、を備えたことを特徴とする多値ＱＡＭ通信信号受信機。
【発明の詳細な説明】
【技術分野】
【０００１】
この発明は、振幅位相変調により情報を通信する多値ＱＡＭ通信信号のシンボルタイミングを検出する多値ＱＡＭシンボルタイミング検出回路およびこれを備えた多値ＱＡＭ通信信号受信機に関するものである。
【背景技術】
【０００２】
情報伝達用のディジタル通信においては、同一パワーでより高速にたくさんの情報を伝送するために各種の変調方式が採用されている。この情報を伝送するための最小の単位としてシンボルが存在し、このシンボルを時系列に複数並べることで通信フレームが構成される。そして、１シンボルにより伝送可能な情報量が多いほど、通信系全体として、所定時間当たりに伝送できる情報量が多くなる。例えば、１６値ＱＡＭ変調方式の信号（以下、「１６値ＱＡＭ通信信号」と称す。）では１シンボルに４ビットの情報が与えられている。そして、ＱＡＭ変調方式には、取り得る振幅および位相の設定により、１６値ＱＡＭ通信信号以外の多値ＱＡＭ通信信号も存在する。
【０００３】
このような多値ＱＡＭ通信信号では、通信フレームにシンボルタイミングを検出するためにユニークワードＵＷが最初に配置され、さらに所定シンボル数毎にパイロットシンボルＰＳが配置されている。例えば、インマルサットで用いられる１６値ＱＡＭ通信信号では、最初に４０シンボルのユニークワードＵＷが配置され、２９シンボル毎に１シンボルのパイロットシンボルＰＳが配置されている。これらユニークワードＵＷやパイロットシンボルＰＳは予め設定された信号であり、シンボルタイミングを検出し易くするために、通常はＢＰＳＫ信号に見える信号に設定されている。
【０００４】
しかしながら、このようにユニークワードＵＷやパイロットシンボルＰＳを検出する方法では、ユニークワードＵＷが短い場合にシンボルタイミングの検出精度が低下したり、低いＥｂ／Ｎ０の時にシンボルタイミング検出タイミングを所定精度まで高めるまで多くのサンプリング数が必要となったりする。このため、シンボルタイミングが検出できなかったり、検出できたとしても頻繁にシンボルタイミングを検出できるわけではない。
【０００５】
この課題を解決する方法として、特許文献１および特許文献２には、受信機でシンボルタイミング信号に応じた基準信号を生成して、この基準信号と受信した多値ＱＡＭ通信信号とを比較し、シンボルタイミングを検出するシンボル同期装置が開示されている。また、特許文献３には、予め所定の閾値を設け、受信信号の振幅を時系列で観測しながら前記閾値と比較し、振幅の時系列特性曲線が閾値を表す線とクロスするタイミングをシンボルタイミングとして検出方法が開示されている。
【特許文献１】特開２００１−２４５６２公報
【特許文献２】特開２００１−２４５６３公報
【特許文献３】特開２００３−３０９６１３公報
【発明の開示】
【発明が解決しようとする課題】
【０００６】
しかしながら、特許文献１および特許文献２に記載のシンボル同期装置では、受信機内でシンボルタイミング信号に応じた基準信号が必要となり、これに応じてこの基準信号を生成する手段も必要となる。このため、シンボルタイミング検出回路の構成および処理が複雑になってしまう。また、特許文献３に記載のシンボルタイミング検出方法では、閾値を予め設定しておかなければならず、この閾値設定が適切でなければシンボルタイミングを検出することができなかったり、誤検出が発生する。これを防止する方法として閾値を可変にする方法があるが、この方法ではユニークワードＵＷやパイロットシンボルＰＳが必要であり、結局ユニークワードＵＷやパイロットシンボルＰＳを使用しなければならない。この結果、前述のように閾値設定に時間がかかったり閾値設定が困難になったりする。
【０００７】
したがって、本発明の目的は、ユニークワードＵＷやパイロットシンボルＰＳを用いることなく、また、予め設定した基準信号や閾値を用いることなく受信した多値ＱＡＭ通信信号のみでシンボルタイミングを検出することができる多値ＱＡＭシンボルタイミング検出回路を提供することにある。また、この多値ＱＡＭシンボルタイミング検出回路を用いた多値ＱＡＭ通信信号受信機を構成することにある。
【課題を解決するための手段】
【０００８】
この発明は、多値ＱＡＭ通信信号のシンボルタイミングを検出する多値ＱＡＭシンボルタイミング検出回路において、所定倍のオーバーサンプリング周波数で検出された多値ＱＡＭ通信信号の振幅データを１シンボル周期単位でバッファリングして、オーバーサンプリング周波数に応じたサンプリングタイミング毎の振幅データを検出するサンプリング点振幅検出手段と、１シンボル周期内の各サンプリングタイミングに対応する振幅データをそれぞれ所定期間に亘りバッファリングするサンプリングタイミング別振幅データバッファ手段と、該サンプリングタイミング別振幅データバッファ手段毎に記憶された所定期間内の振幅データのヒストグラムを形成する振幅ヒストグラム形成手段と、該振幅ヒストグラム形成手段の結果から最も検出頻度の高い振幅データに対応したサンプリングタイミングをシンボルタイミングとして検出するシンボルタイミング検出手段と、を備えたことを特徴としている。
また、この発明の多値ＱＡＭシンボルタイミング検出回路は、所定倍のオーバーサンプリング周波数で検出された多値ＱＡＭ通信信号を絶対値演算して絶対値信号を生成する絶対値演算手段を備え、サンプリング点振幅検出手段で、多値ＱＡＭ通信信号の絶対値信号を用いて振幅データを検出することを特徴としている。
【０００９】
これら構成では、所定倍のオーバーサンプリング周波数で検出された多値ＱＡＭ通信信号における各サンプリングタイミングに対応する振幅データが検出されてサンプリングタイミングとともに１シンボル長毎にバッファリングされる。この際、所定倍のオーバーサンプリング周波数で検出された多値ＱＡＭ通信信号を絶対値演算した絶対値信号を用いてサンプリングしても良く、絶対値信号を用いるとサンプリング数が増加する。１シンボル長単位分の振幅データは、対応するサンプリングタイミング毎に所定シンボル数分バッファリングされて、このバッファリングされた振幅データのヒストグラムがサンプリングタイミング毎に形成される。
【００１０】
ここで、雑音が除去されたＱＡＭ通信信号（ＱＡＭ通信信号に限ることなく、振幅変調および位相変調したディジタル通信信号）ではどのようなシンボル配列であってもシンボルタイミングは常に同じ振幅で現れるので、前述のヒストグラムを形成した１シンボル長分のサンプリングタイミングの中には、同じ振幅の検出頻度が高いタイミングが存在するはずである。これは、図４に示すようにＱＡＭ通信信号のアイパターンが、シンボルタイミングで所定の振幅に収束することでも分かる。図４は１６値ＱＡＭ通信信号の絶対値信号のアイパターンの概略図である。このように、１６値ＱＡＭではシンボルタイミングにおいて２つの振幅値に振幅が収束する。
【００１１】
従って、この同じ振幅の検出頻度が高いタイミングを検出することで、シンボルタイミングが検出される。
【００１２】
また、この発明の多値ＱＡＭシンボルタイミング検出回路は、所定倍のオーバーサンプリング周波数で検出された多値ＱＡＭ通信信号にＩ信号とＱ信号とをそれぞれ用い、Ｉ信号を用いてサンプリングタイミング毎の振幅データのヒストグラムを形成するとともに、Ｑ信号を用いてサンプリングタイミング毎の振幅データのヒストグラムを形成し、Ｉ信号に対する振幅データのヒストグラムと、Ｑ信号に対する振幅データのヒストグラムとからシンボルタイミングを検出することを特徴としている。
【００１３】
この構成では、多値ＱＡＭ通信信号がＩ信号とＱ信号とから構成されることを利用し、Ｉ信号、Ｑ信号毎に前述のヒストグラムを形成する。ここで、Ｉ信号でのＱ信号でもシンボルタイミングは同じであるので、それぞれの信号のヒストグラムを加算しても検出されるシンボルタイミングは同じはずである。したがって、これらのヒストグラムを加算することで、サンプリングタイミング毎の振幅のサンプル数が実質的に２倍となり、検出精度が向上する。
【００１４】
また、この発明の多値ＱＡＭ通信信号受信機は、前述の多値ＱＡＭシンボルタイミング検出回路を備えるとともに、該多値ＱＡＭシンボルタイミング検出回路から出力されるシンボルタイミング信号を用いて、多値ＱＡＭ通信信号をダウンサンプリングするサンプリング手段と、該サンプリング手段でサンプリングされたベースバンドの多値ＱＡＭ信号を復調するベースバンド復調手段と、を備えたことを特徴としている。
【００１５】
この構成では、前述のように検出されたシンボルタイミングを用いて多値ＱＡＭ通信信号の受信信号をダウンサンプリングしてベースバンド復調することで、確実に情報が復調される。
【発明の効果】
【００１６】
この発明によれば、受信した多値ＱＡＭ通信信号のみで、シンボルタイミングを検出することができる。すなわち、従来のように基準信号を用いたり適当な閾値を設定することなく、簡易に且つ確実にシンボルタイミングを検出する多値ＱＡＭシンボルタイミング検出回路を構成することができる。
【００１７】
また、この発明によれば、この多値ＱＡＭシンボルタイミング検出回路を備えることで、多値ＱＡＭ変調により伝送される情報を、確実に復調する多値ＱＡＭ通信信号受信機を構成することができる。
【発明を実施するための最良の形態】
【００１８】
本発明の実施形態に係る多値ＱＡＭシンボルタイミング検出回路について図１〜図３を参照して説明する。本実施形態では、多値ＱＡＭ変調信号として１６値ＱＡＭ変調信号を利用した１６値ＱＡＭシンボルタイミング信号検出回路について説明する。
図１は本実施形態に係るシンボルタイミング検出回路を備えた１６値ＱＡＭ通信信号受信機の概略構成を示すブロック図である。
【００１９】
図２は図１に示すシンボルタイミング検出回路の概略構成を示すブロック図である。
【００２０】
１６値ＱＡＭ通信信号受信機は、ミキサ１，２，π／２位相回路３、ＬＰＦ４，５、シンボルタイミング検出回路６、ダウンサンプリング回路７ａ，７ｂ、復調器８を備える。
【００２１】
１６値ＱＡＭ変調された通信信号のＲＦ受信信号は中間周波数にダウンコンバートされて、１６値ＱＡＭＩＦ信号となってミキサ１とミキサ２とに分配入力される。
電圧制御発振器（ＶＣＯ）１０は、例えば、このＶＣＯ１０を含むコスタスループ回路（図示せず）を用いて得られる位相差情報に基づき、所定のオーバーサンプリング周波数のＩ信号およびＱ信号がミキサ１，２から出力されるように、所定周波数の局部発振信号を生成し、ミキサ１に出力するとともにπ／２位相回路３に出力する。π／２位相回路３は、入力された局部発振信号の位相をπ／２だけ移相（遅延）させてミキサ２に出力する。
【００２２】
ミキサ１は、入力された１６値ＱＡＭＩＦ信号をＶＣＯ１０からの局部発振信号で直交変調することで、所定のオーバーサンプリング周波数のＩ信号（以下、単に「オーバーサンプリングＩ信号」と称する。）を生成して、ローパスフィルタ（ＬＰＦ）４に出力する。ＬＰＦ４はオーバーサンプリングＩ信号に含まれる不要な高調波成分を除去してシンボルタイミング検出回路６に出力するとともにダウンサンプリング回路７ａに出力する。
【００２３】
また、ミキサ２は、入力された１６値ＱＡＭＩＦ信号を、π／２位相制御された局部発振信号で直交変調することで、所定のオーバーサンプリング周波数のＱ信号（以下、単に「オーバーサンプリングＱ信号」と称する。）を生成して、ローパルフィルタ（ＬＰＦ）５に出力する。ＬＰＦ５はオーバーサンプリングＱ信号に含まれる不要な高調波成分を除去してシンボルタイミング検出回路６に出力するとともに、ダウンサンプリング回路７ｂに出力する。
【００２４】
シンボルタイミング検出回路６は、図２に示す構成を実現するハードウエアまたはソフトウエアからなり、後述する方法を用いて入力されたオーバーサンプリングＩ信号とオーバーサンプリングＱ信号とからシンボルタイミングを検出して、シンボルタイミング信号をダウンサンプリング回路７ａ，７ｂに出力する。
【００２５】
ダウンサンプリング回路７ａは、ＬＰＦ４から入力されたオーバーサンプリングＩ信号を、シンボルタイミング検出回路６から出力されるシンボルタイミング信号で同期するとともに、ダウンサンプリングして、ベースバンドＩ信号のサンプリングデータを復調器８に出力する。また、ダウンサンプリング回路７ｂは、ＬＰＦ５から入力されたオーバーサンプリングＱ信号を、シンボルタイミング検出回路６から出力されるシンボルタイミング信号で同期するとともに、所定のサンプリング周期でダウンサンプリングして、ベースバンドＱ信号のサンプリングデータを復調器８に出力する。ここで、ダウンサンプリング回路７ａ，７ｂが本発明の「サンプリング手段」に相当する。
【００２６】
復調器８は、入力されたベースバンドＩ信号のサンプリングデータとベースバンドＱ信号のサンプリングデータとを用いて、既知の方法で１６値ＱＡＭ変調により設定された情報を復調する。ここで、復調器８が本発明の「ベースバンド復調手段」に相当する。
【００２７】
次に、シンボルタイミング検出回路６のより具体的な構成について説明する。
図２に示すように、シンボルタイミング検出回路６は、Ｉ信号ヒストグラム形成部６１０と、Ｑ信号ヒストグラム形成部６２０と、ヒストグラムデータ加算部６４０と、シンボルタイミング検出部６３０とを備える。
Ｉ信号ヒストグラム形成部６１０は、絶対値演算部６１１、タイミング振幅抽出部６１２、１シンボル長バッファ６１３、タイミング振幅バッファ６１４ａ〜６１４ｎ、振幅ヒストグラム形成部６１５ａ〜６１５ｎを備える。Ｑ信号ヒストグラム形成部６２０は、絶対値演算部６２１、１シンボル長バッファ６２２、タイミング振幅抽出部６２３、タイミング振幅バッファ６２４ａ〜６２４ｎ、振幅ヒストグラム形成部６２５ａ〜６２５ｎを備える。ここで、タイミング振幅抽出部６１２，６２２が本発明の「サンプリング点振幅検出手段」に相当し、タイミング振幅バッファ６１４ａ〜６１４ｎ，６２４ａ〜６２４ｎが本発明の「サンプリングタイミング別振幅データバッファ手段」に相当し、振幅ヒストグラム形成部６１５ａ〜６１５ｎ，６２５ａ〜６２５ｎが本発明の「振幅ヒストグラム形成手段」に相当する。
【００２８】
Ｉ信号ヒストグラム形成部６１０とＱ信号ヒストグラム形成部６２０との処理内容について説明する。なお、Ｉ信号ヒストグラム形成部６１０とＱ信号ヒストグラム形成部６２０とでは、処理する信号がＩ信号であるかＱ信号であるかの違いがあるのみで、信号処理は実質的に同じであるので、説明は省略する。この際、絶対値演算部６１１と絶対値演算部６２１とが対応し、タイミング振幅抽出部６１２とタイミング振幅抽出部６２２とが対応する。さらに、１シンボル長バッファ６１３と１シンボル長バッファ６２３とが対応し、タイミング振幅バッファ６１４ａ〜６１４ｎとタイミング振幅バッファ６２４ａ〜６２４ｎとがそれぞれ対応し、振幅ヒストグラム形成部６１５ａ〜６１５ｎと振幅ヒストグラム形成部６２５ａ〜６２５ｎとが対応する。
【００２９】
Ｉ信号ヒストグラム形成部６１０の絶対値演算部６１１にオーバーサンプリングＩ信号が入力されると、絶対値演算部６１１は、入力されたオーバーサンプリングＩ信号の絶対値演算を行い、絶対値信号をタイミング振幅抽出部６１２に出力する。
【００３０】
タイミング振幅抽出部６１２は、オーバーサンプリングＩ信号のサンプリングタイミングとこのタイミングでの振幅データとを１シンボル長の時間分毎に１シンボル長バッファ６１３にバッファリングする。そして、タイミング振幅抽出部６１２は、サンプリングタイミングと振幅データとが１シンボル長分だけ１シンボル長バッファ６１３にバッファリングされると、各サンプリングタイミングに応じたタイミング番号とこの番号に応じた振幅データとをタイミング振幅バッファ６１４ａ〜６１４ｎに出力する。ここで、タイミング番号は、サンプリングタイミングを取得する毎に順次更新され、１シンボル長分だけ更新されると初期化されて、同様にタイミング番号の更新が繰り返される。すなわち、１シンボル周期毎に同じタイミング番号が出力される。
【００３１】
タイミング振幅バッファ６１４ａ〜６１４ｎは、それぞれに異なる特定のタイミング番号の振幅データをバッファリングする。このため、タイミング振幅バッファ６１４ａ〜６１４ｎは、オーバーサンプリング周波数の周期で１シンボル長の周期を除算した個数分だけ備えられている。言い換えれば、例えば、９倍のオーバーサンプリングでは９個のタイミング振幅バッファが備えられている。
これらタイミング振幅バッファ６１４ａ〜６１４ｎはそれぞれ所定個数の振幅データをバッファリングすると、これらの振幅データをそれぞれ振幅ヒストグラム形成部６１５ａ〜６１５ｎに出力する。ここで、バッファリングする振幅データの個数、すなわち、ヒストグラムの作成に利用する受信信号の時間長（本発明の「所定期間」に相当する。）は、後述するシンボルタイミング検出部６３０でシンボルタイミングが他のサンプリングタイミングに対して判別可能な程度になるように適宜設定すればよい。言い換えれば、雑音が多くシンボルタイミングが検出しにくければ所定期間を長くし、雑音が少なくシンボルタイミングが検出しやすければ所定期間を短くすればよい。
【００３２】
振幅ヒストグラム形成部６１５ａ〜６１５ｎは、入力された振幅データのヒストグラムを形成して、すなわち、振幅データ毎の発生頻度を算出して、ヒストグラムデータ加算部６４０に出力する。
【００３３】
このようなサンプリングタイミング毎の振幅データのヒストグラム形成はオーバーサンプリングＱ信号に対しても行われる。
【００３４】
ヒストグラムデータ加算部６４０は、オーバーサンプリングＩ信号に対する各振幅ヒストグラム形成部６１５ａ〜６１５ｎから出力された振幅データのヒストグラムと、オーバーサンプリングＱ信号に対する各振幅ヒストグラム形成部６２５ａ〜６２５ｎから出力された振幅データのヒストグラムとを入力し、サンプリングタイミング毎に設置された加算機６４１ａ〜６４１ｎのそれぞれで加算してシンボルタイミング検出部６３０に出力する。
【００３５】
シンボルタイミング検出部６３０は、入力されたサンプリングタイミング毎の振幅データのヒストグラムを統合して、図３に示すような振幅データの統合ヒストグラムを形成する。
図３は、振幅データの統合ヒストグラムを示す図である。なお、図３ではオーバーサンプリングを９倍すなわちサンプリングタイミングを９点とし、振幅データの分解能を、振幅「０」を含む８段階にしてサンプリングした結果を示す。また、各サンプリングタイミングでのサンプリング個数ｍは「３２」とした結果を示す。また、サンプリングタイミング番号ＣＨ１〜ＣＨ９は、この順で時系列に並んでいるものである。
図３に示す結果では、サンプリングタイミング番号ＣＨ１における振幅「３」の発生頻度が他のサンプリングタイミング番号ＣＨ２〜ＣＨ９での特定振幅の発生頻度よりも突出している。また、同様にサンプリングタイミング番号ＣＨ１における振幅「１」の発生頻度が他のサンプリングタイミング番号ＣＨ２〜ＣＨ９での振幅「１」の発生頻度よりも突出している。
【００３６】
ここで、サンプリングタイミング毎の振幅データの発生頻度には特徴があり、前述のようにシンボルタイミングでは基本的に同じ振幅データとなるので、同じ振幅データの発生頻度が他のサンプリングタイミングより突出する。
【００３７】
したがって、同じ振幅データの発生頻度が高いサンプリングタイミングを検出することで、シンボルタイミングを検出することができる。
【００３８】
シンボルタイミング検出部６は、シンボルタイミングを検出するとシンボルタイミング信号を生成して前述のようにダウンサンプリング回路７ａ，７ｂに出力する。
【００３９】
このような構成を用いることで、ユニークワードＵＷやパイロットシンボルＰＳを利用することなくシンボルタイミングを検出することができる。そして、この際、予めシンボルタイミング検出のための基準信号や閾値を設定しておく必要がなく、容易に且つ確実にシンボルタイミングを検出することができる。
【００４０】
また、このようなシンボルタイミング検出回路を備えることで、確実に１６値ＱＡＭ通信信号を復調する１６値ＱＡＭ通信信号受信機を構成することができる。
【００４１】
なお、前述の説明では、１６値ＱＡＭ通信信号について示したが、１６値ＱＡＭに限ることなく、データマッピングが方形配置となる多値ＱＡＭであれば、前述の構成を適用することができ、前述の効果を奏することができる。
【００４２】
また、前述の説明では、Ｉ信号とＱ信号とを用いてヒストグラムを形成したが、Ｉ信号のみまたはＱ信号のみでヒストグラムを形成しても良い。しかしながら、Ｉ信号とＱ信号とを用いることで、一方のみを用いる場合よりもサンプリング数が倍増するのでより高精度にシンボルタイミングを検出することができる。
【００４３】
また、前述の説明では、サンプリングする時間の長さを長くすることにより精度を向上できることを説明した。しかしながら、次に示す方法を用いることで、サンプリングする全体の長さを長くすることなく精度（感度）を向上することができる。
【００４４】
この場合、タイミング振幅抽出部６１２，６２２で各サンプリングタイミングの振幅データをバッファリングする際に、前回バッファリングした１シンボル長分のデータと、今回バッファリング１シンボル長分のデータとを部分的に重複される。この処理を行うことで、タイミング振幅バッファ６１４ａ〜６１４ｎや６２４ａ〜６２４ｎに出力されるサンプリングタイミングおよび振幅データが増加する。すなわち、サンプリング時間全体としては変化させることなく、サンプリング数を増加することができ、感度を向上させることができる。
【図面の簡単な説明】
【００４５】
【図１】本発明の実施形態の多値ＱＡＭシンボルタイミング検出回路の概略構成を示すブロック図
【図２】図１に示すシンボルタイミング検出回路の概略構成を示すブロック図
【図３】振幅データの統合ヒストグラムを示す図
【図４】１６値ＱＡＭ通信信号の絶対値信号のアイパターンの概略図
【符号の説明】
【００４６】
１，２−ミキサ、３−π／２位相回路、４，５−ローパスフィルタＬＰＦ、６−シンボルタイミング検出回路、７ａ，７ｂ−ダウンサンプリング回路、８−復調器
６１０−Ｉ信号ヒストグラム形成部、６２０−Ｑ信号ヒストグラム形成部、６１１，６２１−絶対値演算部、６１２，６２２−タイミング振幅抽出部、６１３，６２３−１シンボル長バッファ、６１４ａ〜６１４ｎ、６２４ａ〜６２４ｎ−タイミング振幅バッファ、６１５ａ〜６１５ｎ、６２５ａ〜６２５ｎ−振幅ヒストグラム形成部、６３０−シンボルタイミング検出部、６４０−ヒストグラムデータ加算部、６４１ａ〜６４１ｎ−加算器
【図１】
2006166005.tif 000003
【図２】
2006166005.tif 000004
【図３】
2006166005.tif 000005
【図４】
2006166005.tif 000006